(57)【要約】      （修正有）【課題】排水性・防水性・作業性に優れ、且つ、シートカバーが走行時に風圧により後方にずれる事を防止する貨物車両用荷台防水カバーを提供する。【解決手段】前面に貨物車両Ｔの運転席背面の横幅寸法及び運転席背面の覗き窓の下付近から荷台扉上面までの高さ寸法に適合したほぼ矩形状の縦板と、縦板の前面上部及び左右両側面部にＬ字状にそれぞれ折り曲げ形成した水侵入防止カバー部と、荷台の前側上面を被う為の門型上面板部と、門型上面板部後方上面に設けた逆Ｌ字状のシートカバー係止金具をそれぞれ一体に形成して設ける。【選択図】図３
0003172432.tif 000002
【実用新案登録請求の範囲】
【請求項１】
貨物車両の荷台の前方に設けて、走行時にシートカバーが風圧により後方にずれる事を防止し、且つ、雨水の侵入を防止する荷台防水カバーであって、該荷台防水カバー（１）は前面に貨物車両（Ｔ）の運転席背面の横幅寸法（Ｘ）及び運転席背面に設けた覗き窓（１ｅ）の下付近から荷台扉上面までの高さ寸法（Ｈ）に適合した，ほぼ矩形状の縦板（１ａ）と、該縦板の前面上部及び左右両側面部にＬ字状にそれぞれ折り曲げ形成した水侵入防止カバー部（１ｂ）と、荷台の前側上面を被う為の門型上面板部（１ｃ）と、門型上面板部後方上面に設けた逆Ｌ字状のシートカバー係止金具（１ｄ）をそれぞれ一体に形成して設け、且つ、水侵入防止カバー取付時は、既設の左右ステー取付用ボルト等の係止部材を利用してそれぞれ係止し、且つ、貨物車両の荷台上部を覆うシートカバー（ＳＣ）の前方を水侵入防止カバーのシートカバー係止金具部（１ｄ）に巻き付け、係止金具の取り付け穴部（１ｄ' ）に巻き付けボルト（Ｂ）・ナット（Ｎ）・ワッシャー（Ｗ）等の係止部材で係止し、荷台の左右両側面及び後側面部をゴムバンド（ＢＡ）等の係止部材で係止して設けた事を特徴とする貨物車両用荷台防水カバー。
【考案の詳細な説明】
【技術分野】
【０００１】
この考案は、貨物車両の荷台の前方に設けて、走行時にシートカバーが風圧により後方にずれる事を防止し、且つ、雨水の侵入を防止する貨物車両用荷台防止カバーに関するものである。
【背景技術】
【０００２】
従来、貨物車両等の荷台防水カバーは、通常、荷台の形状に合わせた矩形状のシートカバーが使用され、荷台の上部をロープやゴムバンド等の係止部材で固定しているものが大半であるが、これらは防水性や作業性等に問題が有り、特に荷台の先端部から雨水や雪が溜まり、荷台の中の物品等に悪影響を及ぼす場合があった。
【０００３】
又、従来の貨物車両用の荷台防水カバーは、貨物車両専用のものでないため、走行時、風圧によって後方へ移動し易いため、荷台先端部に隙間が生じて雨や雪等が侵入し易くなる。又、荷台先端部の門型フレーム（ステー）の柱構造が車種によって異なるため、固定方法にもバラツキが生じ、煩雑に成っていた。
【先行技術文献】
【特許文献】
【０００４】
これまでに出願されている貨物車両用荷台防水カバーに関する特許文献を参考の為、紹介する（特許文献１〜２参照）。
【特許文献１】特開平１１−２４０３７５
【特許文献２】特開２００２−０２９３２６
【考案の開示】
【考案が解決しようとする課題】
【０００５】
そこで、上記課題を解決する為に、この考案は排水性・防水性・作業性に優れ、且つ、シートカバーが走行時に風圧により後方にずれる事を防止する貨物車両用荷台防水カバーを開発・提供する事にある。
【課題を解決するための手段】
【０００６】
課題を解決するための手段として、本考案は排水性・防水性・作業性の向上を図る為に、前面に貨物車両の運転席背面の横幅寸法及び運転席の覗き窓の下付近から荷台扉上面までの高さ寸法に適合したほぼ矩形状の縦板を設け、該縦板の前面上部及び左右両側面部にＬ字状にそれぞれ折り曲げ形成した水侵入防止カバー部と、荷台の前側上面を被う為の門型上面板部と、門型上面板部後方上面に設けた逆Ｌ字状のシートカバー係止金具をそれぞれ一体に形成して設け、且つ、水侵入防止カバー取付時は、既設の左右ステー取付用ボルト等の係止部材を利用してそれぞれ係止し、且つ、貨物車両の荷台上部を覆うシートカバーの前方を水侵入防止カバーのシートカバー係止金具部に巻き付け、係止金具の取り付け穴部に巻き付けボルト・ナット・ワッシャー等の係止部材で係止し、荷台の左右両側面及び後側面部をゴムバンド等の係止部材で係止して設けた事を特徴とするものである。
【考案の効果】
【０００７】
本考案の効果として、前面に貨物車両の運転席背面の横幅寸法及び運転席の覗き窓の下付近から荷台扉上面までの高さ寸法に適合するほぼ矩形状の縦板と、該縦板の前面上部及び左右両側面部にＬ字状にそれぞれ折り曲げ形成した水侵入防止カバー部と、荷台の前側上面を被う為の門型上面板部と、門型上面板部後方上面に設けた逆Ｌ字状のシートカバー係止金具をそれぞれ一体に形成して設け、且つ、水侵入防止カバー取付時は、既設の左右ステー取付用ボルト等の係止部材を利用してそれぞれ係止し、且つ、貨物車両の荷台上部を覆うシートカバーの前方を水侵入防止カバーのシートカバー係止金具部に巻き付け、係止金具の取り付け穴部に巻き付けボルト・ナット・ワッシャー等の係止部材で係止し、荷台の左右両側面及び後側面部をゴムバンド等の係止部材で係止して設けた事で、排水性・防水性及び作業性を良くし、且つ、走行時に風圧によるシートカバーのずれを防止する等、極めて有益なる効果を奏するものである。
【図面の簡単な説明】
【０００８】
【図１】この考案の一実施例を示し、（Ａ）は貨物車両用荷台防水カバーの一部欠截平面図で、（Ｂ）は一部欠截背面図である。
【図２】この考案の一実施例を示し、図１（Ｂ）のａ−ａ矢視拡大断面図である。
【図３】この考案の使用例を示し、（Ａ）は平面図で、（Ｂ）は左側面図である。
【図４】この考案の使用例を示し、（Ａ）は背面図で、（Ｂ）は図３（Ｂ）のａ部拡大断面図である。
【考案を実施するための形態】
【０００９】
この考案を実施するための形態として、貨物車両の荷台の前方に設けて、走行時にシートカバーが風圧により後方にずれる事を防止し、且つ、雨水の侵入を防止する荷台防水カバーであって、該荷台防水カバー（１）は前面に貨物車両（Ｔ）の運転席背面の横幅寸法（Ｘ）及び運転席の覗き窓（１ｅ）の下付近から荷台扉上面までの高さ寸法（Ｈ）に適合した，ほぼ矩形状の縦板（１ａ）と、該縦板の前面上部及び左右両側面部にＬ字状にそれぞれ折り曲げ形成した水侵入防止カバー部（１ｂ）と、荷台の前側上面を被う為の門型上面板部（１ｃ）と、門型上面板部後方上面に設けた逆Ｌ字状のシートカバー係止金具（１ｄ）をそれぞれ一体に形成して設け、且つ、水侵入防止カバー取付時は、既設の左右ステー取付用ボルト等の係止部材を利用してそれぞれ係止し、且つ、貨物車両の荷台上部を覆うシートカバー（ＳＣ）の前方を水侵入防止カバーのシートカバー係止金具部（１ｄ）に巻き付け、係止金具の取り付け穴部（１ｄ' ）に巻き付けボルト（Ｂ）・ナット（Ｎ）・ワッシャー（Ｗ）等の係止部材で係止し、荷台の左右両側面及び後側面部をゴムバンド（ＢＡ）等の係止部材で係止して設けた事を特徴とする貨物車両用荷台防水カバーから構成される。
【実施例】
【００１０】
そこで、この考案の一実施例を図１〜図２に基づいて詳述すると、荷台防水カバー（１）は、横幅寸法（Ｘ）及び高さ寸法（Ｈ）が貨物車両の運転席及び荷台扉上面に適合した縦板（１ａ）を設け、且つ、該縦板前面上部及び縦板前面左右側面部にＬ字状にそれぞれ折り曲げ形成した水侵入防止カバー部（１ｂ）と、荷台の前側上面を被う為の門型上面板部（１ｃ）と、門型上面板部後方上面に設けた逆Ｌ字状のシートカバー係止金具（１ｄ）をそれぞれ一体に形成して設けたものである。
【００１１】
次に、荷台防水カバー（１）の取り付け方法について説明すると、図３（Ｂ）及び図４（Ａ）に示すように、車両運転席後部に設けた既設のステーを取り外し、そのステーを固定していたボルト穴を利用して、荷台防水カバー（１）の縦板上部左右に設けた取付穴部（１ａ' ）に既設のボルト・ワッシャーを利用して固定する。
【００１２】
続いて、市販のシートカバーの取り付け方法について説明すると、まず、シートカバーの前側は図４（Ｂ）に示すように、先に取り付けた荷台防水カバー（１）の係止金具部（１ｄ）上部のＬ字状折り曲げ部の下面にシートの先端部を宛がい、複数のボルト（Ｂ）・ナット（Ｎ）・ワッシャー（Ｗ）等の係止部材で固定し、且つ、取り付けたボルト・ナット・ワッシャー等の係止部材を被うようにして、シートカバーを巻き付け、更に、左右両側面及び後部側面の固定はゴムバンド（ＢＡ）等の係止部材で固定する。尚、ゴムバンドの固定方法については、図３（Ｂ）・図４（Ａ）に示す方法に限定するものではなく、状況に応じて固定方法を適宜変更しても構わない。
【００１３】
又、シートカバー（ＳＣ）が必要ない時は、シートカバーを折り畳んで、荷台防水カバー（１）の門型上面板部（１ｃ）に収納しておく事も可能である。
【産業上の利用可能性】
【００１４】
この考案の貨物車両用荷台防水カバーは、排水性・防水性・作業性に優れ、且つ、シートカバーが走行時に風圧により後方にずれる事を防止する為、製造・販売する事で、多くの関係市場に寄与する為、産業上の利用可能性を有する。
【符号の説明】
【００１５】
１  荷台防水カバー
１ａ  縦板
１ａ' 取付穴
１ｂ  水侵入防止カバー部
１ｃ  門型上面板部
１ｄ  シートカバー係止金具
１ｄ' 取り付け穴部
１ｅ  覗き窓
１ｅ' 透明樹脂部材
Ｂ  ボルト
ＢＡ  ゴムバンド
Ｎ  ナット
ＳＣ  シートカバー
Ｔ  貨物車両
Ｗ  ワッシャー
Ｈ  高さ寸法（運転席上面から荷台扉上面）
Ｘ  横幅寸法（運転席外幅）
【図１】
0003172432.tif 000003
【図２】
0003172432.tif 000004
【図３】
0003172432.tif 000005
【図４】
0003172432.tif 000006